(57)【要約】【課題】緊急時、筐体の裏側からの操作により、解錠することができるゲーム機の施錠装置を提供する。【解決手段】前扉を閉じると、ラッチ部材５，６が受け具４２に押され、コイルばねの付勢力に抗して施錠位置に回動したとき、作動杆４に設けた係止ピン５２，６２がラッチ部材５，６の係合部５４，６４に係合して施錠位置にロックされる。基枠体１には、支持板３、作動杆４、ラッチ部材５，６を覆う第１カバー１０がカム部材８近傍を開口して取り付けられ、このカム部材８近傍の開口を覆う第２カバー２０が作動杆４の摺動方向に摺動可能に取り付けられる。第２カバー２０の摺動時に作動杆４と係合して作動杆４を解錠側に摺動させる係合部２４が第２カバー２０に設けられる。【選択図】図８
2014008144.tif 000002
【特許請求の範囲】
【請求項１】
略Ｌ字状に形成された取付板と支持板とを有する縦長の基枠体の該支持板に沿って、長尺の作動杆が摺動可能に配設され、該取付板にシリンダ錠がその錠軸を該基枠体内に挿入するように取り付けられ、該シリンダ錠の錠軸にカム部材が固定され、該作動杆には該カム部材の回動時に係合する係合部が設けられ、溝状のロック凹部を有するラッチ部材が該支持板の上部と下部に、前扉の閉鎖時、筐体側の受け具を受け入れて拘束するように回動可能に軸支され、該基枠体の取付板がゲーム機の前扉の内側に取り付けられ、ゲーム機の筐体の内側に該受け具が取り付けられるゲーム機の施錠装置において、
該作動杆には、該ラッチ部材の係合部に係合して該ラッチ部材を施錠位置にロックするための係止ピンが取り付けられ、該ラッチ部材を解錠側に付勢するためのばね部材が設けられ、
該ラッチ部材は、該前扉を閉じて施錠するとき、該ラッチ部材が該受け具に押され、該ばね部材の付勢力に抗して施錠位置に回動したとき、該作動杆に設けた係止ピンが該ラッチ部材の係合部に係合して施錠位置にロックされ、
該カム部材の近傍を覆うカバーが、該作動杆の摺動方向に摺動可能に配設され、該カバーの摺動時に該作動杆と係合して該作動杆を解錠側に摺動させる係合部が該カバーの一部に設けられたことを特徴とするゲーム機の施錠装置。
【請求項２】
前記基枠体には、該支持板、該作動杆、該ラッチ部材を覆う第１カバーが該カム部材近傍を開口して取り付けられ、該第１カバーの上部と下部には前扉の閉鎖時に受け具を進入させるための開口部が形成され、
該第１カバーには前記カム部材近傍を覆う第２カバーが該作動杆の摺動方向に摺動可能に取り付けられ、
該第２カバーの摺動時に該作動杆と係合して該作動杆を解錠側に摺動させる係合部が該第２カバーに設けられたことを特徴とする請求項１記載のゲーム機の施錠装置。
【請求項３】
前記第２カバーの背面側には固定ねじが背面側からねじ込まれ、前記第１カバーに対し該第２カバーが該固定ねじにより固定されることを特徴とする請求項２記載のゲーム機の施錠装置。
【請求項４】
前記第２カバーの一端近傍には係合片が設けられ、該第２カバーは該係合片を前記第１カバーの係合孔に係合させた状態で、１本の固定ねじを該第２カバーの他端近傍の固定孔に挿入して該第１カバーにねじ込み固定することを特徴とする請求項３記載のゲーム機の施錠装置。
【請求項５】
略Ｌ字状に形成された取付板と支持板とを有する縦長の基枠体の該支持板の上部と下部に、鉤部材が上下に傾動可能に軸支され、該支持板に沿って、長尺の作動杆が摺動可能に配設され、該取付板にシリンダ錠がその錠軸を該基枠体内に挿入するように取り付けられ、該シリンダ錠の錠軸にカム部材が固定され、該作動杆には該カム部材の回動時に係合する係合部が設けられ、該基枠体の該取付板がゲーム機の前扉の内側に取り付けられ、該ゲーム機の筐体の内側に該受け具が取り付けられ、該前扉の閉鎖時、該鉤部材が該受け具に係止されて施錠するゲーム機の施錠装置において、
該作動杆には、該鉤部材の係合部に係合して該鉤部材を施錠位置にロックするための係止部が設けられ、該鉤部材を施錠側に付勢するためのばね部材が設けられ、
該シリンダ錠による該前扉の解錠操作時、該カム部材が回動すると、該作動杆が解錠側に摺動して、該鉤部材が傾動し、該鉤部材と該受け具の係止が外れて解錠するように構成され、
該カム部材の近傍を覆うカバーが、該作動杆の摺動方向に摺動可能に配設され、該カバーの摺動時に該作動杆と係合して該作動杆を解錠側に摺動させる係合部が該カバーの一部に設けられたことを特徴とするゲーム機の施錠装置。
【発明の詳細な説明】
【技術分野】
【０００１】
本発明は、スロットマシンなどのゲーム機の前扉をキャビネットに対し施錠するゲーム機の施錠装置に関し、特に不正解錠を防止しつつ、キーを使用せずに解錠が必要となる緊急時、ゲーム機の筐体の裏側から操作して解錠することができるゲーム機の施錠装置に関する。
【背景技術】
【０００２】
従来、スロットマシンなどゲーム機の施錠装置として、基枠体の内側に作動杆が摺動可能に配設され、基枠体の支持板の上部と下部に鉤部材が、作動杆に連結されて傾動可能に枢支され、基枠体の取付板の中間部に、シリンダ錠がその錠軸を取付板に設けた孔から内側に差し込むように固定され、錠軸の先端に作動杆と係合するカム部材が取り付けられた構成の施錠装置が使用されている。
【０００３】
この種のゲーム機用施錠装置は、構造が強固で、施錠・解錠動作も確実に行うことができるものの、構造上、前面枠の内側に取付けられた施錠装置の鉤部材が前面枠の内側から突出する。このため、前面枠のアッセンブリーを梱包して搬送する場合、その梱包が難しく、突出した鉤部材が搬送中に他の部分に当たって傷つく等の問題があった。
【０００４】
そこで、本発明者らは、従来、前面枠の内側から突出する部分がなく、前面枠を本体枠に対し、円滑且つ確実に施錠・解錠することができるゲーム機の施錠装置を提案した（下記の特許文献１を参照）。
【先行技術文献】
【特許文献】
【０００５】
【特許文献１】特開２００４−１０５４１７号公報
【発明の概要】
【発明が解決しようとする課題】
【０００６】
この施錠装置は、取付板と支持板とを有する基枠体の内側に長尺の作動杆が摺動可能に配設され、取付板の中間部にシリンダ錠が固定され、シリンダ錠の錠軸にカム部材が作動杆に係合可能に取り付けられ、基枠体の取付板が前面枠の内側に取り付けられ、本体枠の内側に受け具が取り付けられる。基枠体の支持板の上部と下部に受け具の進入を許容する開口凹部が形成され、開口凹部内の受け具を拘束する溝状のラッチ凹部を有する略半円形状のラッチ部材が上部と下部の開口凹部の近傍に各々回動可能に枢支される。
【０００７】
ラッチ部材には係止ピンが移動可能に取り付けられ、支持板に係止ピンの先端が係合しガイドされるガイド係止孔がロック部を有して形成され、作動杆にはその移動時にラッチ部材の係止ピンに係合してロック部によるロックを外すように動作する作動係合部が設けられ、ラッチ部材を解錠側に付勢するばね部材が内蔵される。
【０００８】
この施錠装置は、前面枠を閉じて施錠操作を行なったとき、上部と下部のラッチ部材のラッチ凹部に受け具の係止部が嵌入し、その係止部に押されてラッチ部材がラッチ位置に回動した時、ラッチ部材の係止ピンがガイド係止孔からロック部に移動し、ラッチ部材をラッチ位置にロックして施錠する。一方、解錠時にはシリンダ錠の操作によりカム部材を介して作動杆が移動すると、作動杆の作動係合部がロック部によるラッチ部材のロックを外すように動作し、ラッチ部材がばね部材の付勢力により解錠側に回動し、解錠する。
【０００９】
ところで、この種の施錠装置は、ゲーム機に取り付けられて使用を開始した後、その基枠体からシリンダ錠とカム板を取り外し、それらの部材を交換する場合、作業者がシリンダ錠とカム板を基枠体から取り外した状態で、誤ってそのゲーム機の前扉を閉じた場合、施錠装置の鉤部材が本体枠側の受け金具に係止され、施錠状態となる。
【００１０】
しかしながら、施錠装置を取り付けた前扉を一旦閉じて、シリンダ錠とカム板を外した施錠装置が施錠状態となった場合、シリンダ錠とカム板が基枠体から外されているため、ラッチ部材を解錠側に回動させることができない。
【００１１】
或いは、シリンダ錠に不具合が発生し、適正キーを挿入して解錠操作しようとしても、シリンダ錠を解錠操作できないような緊急時、ゲーム機の扉を解錠することができない。このため、上記のような緊急時には、ゲーム機の筐体の裏側から何らかの操作を行なって、適正キーがない状態でも、解錠操作ができる施錠装置が要望されていた。
【００１２】
本発明は、上記の点に鑑みなされたもので、緊急時、筐体の裏側からの操作により、解錠することができるゲーム機の施錠装置を提供することを目的とする。
【課題を解決するための手段】
【００１３】
上記目的を達成するために、本発明の第１発明の施錠装置は、
略Ｌ字状に形成された取付板と支持板とを有する縦長の基枠体の該支持板に沿って、長尺の作動杆が摺動可能に配設され、該取付板にシリンダ錠がその錠軸を該基枠体内に挿入するように取り付けられ、該シリンダ錠の錠軸にカム部材が固定され、該作動杆には該カム部材の回動時に係合する係合部が設けられ、溝状のロック凹部を有するラッチ部材が該支持板の上部と下部に、前扉の閉鎖時、筐体側の受け具を受け入れて拘束するように回動可能に軸支され、該基枠体の取付板がゲーム機の前扉の内側に取り付けられ、ゲーム機の筐体の内側に該受け具が取り付けられるゲーム機の施錠装置において、
該作動杆には、該ラッチ部材の係合部に係合して該ラッチ部材を施錠位置にロックするための係止ピンが取り付けられ、該ラッチ部材を解錠側に付勢するためのばね部材が設けられ、
該ラッチ部材は、該前扉を閉じて施錠するとき、該ラッチ部材が該受け具に押され、該ばね部材の付勢力に抗して施錠位置に回動したとき、該作動杆に設けた係止ピンが該ラッチ部材の係合部に係合して施錠位置にロックされ、
該カム部材の近傍を覆うカバーが、該作動杆の摺動方向に摺動可能に配設され、該カバーの摺動時に該作動杆と係合して該作動杆を解錠側に摺動させる係合部が該カバーの一部に設けられたことを特徴とする。
【００１４】
この発明によれば、例えばシリンダ錠に不具合が発生し、適正キーを挿入して解錠操作しようとしても、シリンダ錠を解錠操作できないような緊急時、ゲーム機の筐体の裏側に設けた点検孔などから、ドライバなどを挿入し、ドライバの先端でカバーを解錠側に摺動させるように動かせば、作動杆が解錠側に摺動し、係止ピンとラッチ部材との係合が外れ、ラッチ部材が回動して解錠することができる。また、カバーはその何れの部分を押しても、摺動して解錠することができるため、緊急時の解錠が容易となる。
【００１５】
ここで、上記施錠装置において、該基枠体には、該支持板、該作動杆、該ラッチ部材を覆う第１カバーが該カム部材近傍を開口して取り付けられ、該第１カバーの上部と下部には前扉の閉鎖時に受け具を進入させるための開口部が形成され、該第１カバーには該カム部材近傍を覆う第２カバーが該作動杆の摺動方向に摺動可能に取り付けられ、該第２カバーの摺動時に該作動杆と係合して該作動杆を解錠側に摺動させる係合部が該第２カバーに設けられた構成とすることができる。
【００１６】
これによれば、第１カバーにより支持板、作動杆、ラッチ部材が覆われ、背面側にラッチ部材などが突出しないので、ゲーム機の前扉を開いて保守点検などを行なう際、内側の突出部に干渉せずに、作業を容易に行うことができる。また、第１カバーに対し第２カバーをがたつきなく摺動するように、且つ容易に取り付けることができる。
【００１７】
また、上記第２カバーの背面側には固定ねじが背面側からねじ込まれ、上記第１カバーに対し第２カバーを固定するように構成することが好ましい。これによれば、固定ねじにより第２カバーを固定するので、第２カバーを不正に摺動させる不正解錠を防止しつつ、緊急時には筐体の裏側の点検孔などから固定ねじを外して第２カバーを摺動させ、解錠することができる。
【００１８】
さらに、上記第２カバーの一端近傍には係合片が設けられ、該第２カバーは該係合片を前記第１カバーの係合孔に係合させた状態で、１本の固定ねじを該第２カバーの他端近傍に挿入して該第１カバーにねじ込み固定するように構成することができる。
【００１９】
これによれば、第２カバーを１本の固定ねじにより、簡単に固定できるとともに、緊急時には１本の固定ねじを外すのみで、第２カバーを摺動することができ、緊急解錠を迅速に行なうことができる。
【００２０】
一方、本願の第２発明の施錠装置は、略Ｌ字状に形成された取付板と支持板とを有する縦長の基枠体の該支持板の上部と下部に、鉤部材が上下に傾動可能に軸支され、該支持板に沿って、長尺の作動杆が摺動可能に配設され、該取付板にシリンダ錠がその錠軸を該基枠体内に挿入するように取り付けられ、該シリンダ錠の錠軸にカム部材が固定され、該作動杆には該カム部材の回動時に係合する係合部が設けられ、該基枠体の該取付板がゲーム機の前扉の内側に取り付けられ、該ゲーム機の筐体の内側に該受け具が取り付けられ、該前扉の閉鎖時、該鉤部材が該受け具に係止されて施錠するゲーム機の施錠装置において、
該作動杆には、該鉤部材の係合部に係合して該鉤部材を施錠位置にロックするための係止部が設けられ、該鉤部材を施錠側に付勢するためのばね部材が設けられ、
該シリンダ錠による該前扉の解錠操作時、該カム部材が回動すると、該作動杆が解錠側に摺動して、該鉤部材が傾動し、該鉤部材と該受け具の係止が外れて解錠するように構成され、
該カム部材の近傍を覆うカバーが、該作動杆の摺動方向に摺動可能に配設され、該カバーの摺動時に該作動杆と係合して該作動杆を解錠側に摺動させる係合部が該カバーの一部に設けられたことを特徴とする。
【００２１】
この発明によれば、やはりシリンダ錠に不具合が発生し、適正キーを挿入して解錠操作しようとしても、シリンダ錠を解錠操作できないような緊急時、ゲーム機の筐体の裏側に設けた点検孔などから、ドライバなどを挿入し、ドライバの先端でカバーを解錠側に摺動させるように動かせば、作動杆が解錠側に摺動し、作動杆の係止部と鉤部材の係合部との係合が外れ、鉤部材が傾動して解錠することができる。また、カバーはその何れの部分を押しても、摺動して解錠することができるため、緊急時の解錠が容易となる。
【発明の効果】
【００２２】
本発明のゲーム機の施錠装置によれば、針金等を使用した不正解錠を防止しつつ、シリンダ錠の不具合等により、適正キーでの解錠ができない緊急時には、筐体の裏側からの操作により、比較的容易に解錠することができる。
【図面の簡単な説明】
【００２３】
【図１】本発明の第１発明の一実施例を示す施錠装置の正面図である。
【図２】同施錠装置の左側面図である。
【図３】同施錠装置の右側面図である。
【図４】同施錠装置の背面図である。
【図５】同施錠装置の平面図である。
【図６】同施錠装置の左前から見た斜視図である。
【図７】同施錠装置の右前から見た斜視図である。
【図８】同施錠装置の第２カバーを外した状態の背面から見た斜視図である。
【図９】同施錠装置の第１カバー、第２カバーを外した状態の背面から見た斜視図である。
【図１０】同施錠装置の第１カバー、第２カバーを外した状態の右側面図である。
【図１１】同施錠装置の分解斜視図である。
【図１２】同施錠装置の別の角度から見た分解斜視図である。
【図１３】受け具の斜視図である。
【図１４】施錠装置の使用形態を示す左側面説明図である。
【図１５】施錠装置の使用形態を示す平面説明図である。
【図１６】施錠状態のラッチ部材を示す拡大部分右側面図である。
【図１７】解錠状態のラッチ部材を示す拡大部分右側面図である。
【図１８】ゲーム機の筐体の背面から見た斜視図である。
【図１９】第２カバーを摺動させて解錠する際の断面付き部分拡大背面図である。
【発明を実施するための形態】
【００２４】
以下、本発明の実施例を図面に基づいて説明する。図１〜図７に示す第１発明の施錠装置は、スロットマシン等のゲーム機の前扉４１を、筐体４０に対し施錠する施錠装置であり、その装置本体は、基体フレームを形成する縦長の基枠体１が横断面を略Ｌ字状（一部略コ字状）に形成され、正面側の取付板２と左側面側の支持板３とを備えて構成される。基枠体１の支持板３の上部と下部には、背面側から受け具を受け入れてロックするラッチ部材５，６が、各々、枢軸５１，６１を軸に回動可能に軸支される。
【００２５】
さらに、基枠体１内には、ラッチ部材５，６のロック、アンロックを行なうために、支持板３に沿って、長尺の作動杆４が支持板３に沿って摺動可能に配設される。作動杆４の上部には係止ピン５２が設けられ、作動杆４の下部には係止ピン６２が設けられ、前扉４１の閉鎖時に、受け具４２の係止部４３，４４がラッチ部材５，６のロック凹部５３，６３に押し込まれたとき、ロックするために、ラッチ部材５，６には、係合部５４、６４が係止ピン５２，６２と係合可能に設けられる。
【００２６】
図１１等に示すように、取付板２の中間部が幅広に形成され、その幅広の部位に大径孔が形成される。シリンダ錠７は、取付板２の内側からその大径孔に挿入され、フランジ７ｂを取付板２の内側に当接させ、その錠軸７ａを基枠体１内に入れる状態で、シリンダ錠７が取付板２に取り付けられる。シリンダ錠７の錠軸７ａにはカム部材８が固定される。カム部材８には、図８，９に示すように、係合凸部８ａ，８ｂが設けられ、作動杆４の中間部に、カム部材８の回動時、係合凸部８ａと係合する係合部４ａが設けられる。
【００２７】
このような構造により、シリンダ錠７に適正鍵を挿入して回動操作すると、カム部材８が回動し、作動杆４が上に摺動する。つまり、シリンダ錠７の解錠操作時に鍵を右に回すと、カム部材８の係合凸部８ａが上に回動して係合部４ａと係合し、作動杆４を上昇させる。このとき、図１７に示すように、係止ピン５２，６２がラッチ部材５，６の係合部５４，６４との係合から外れ、ラッチ部材５，６がコイルばね３７，３８の付勢力によりアンロック方向に回動させて解錠する構造である。図１１に示す如く、支持板３の上部寄りと下部寄りには、開口部３１，３２が、受け具４２の係止部４３，４４を保持するために、背面側に開口して形成され、その開口部３１，３２の直上にラッチ部材５，６が軸支される。これにより、施錠時、受け具４２の係止部４３，４４がラッチ部材５，６に強固に保持される構造となっている。
【００２８】
ラッチ部材５，６は、図１１、１６，１７に示すように、溝状のロック凹部５３、６３を有して形成され、施錠時、ロック凹部５３、６３には、受け具４２の係止部４３，４４が進入して拘束されるように、ラッチ部材５，６が施錠位置まで回動する。ラッチ部材５，６には、図１１，１６に示す如く、係合部５５，６５が設けられ、ラッチ部材５，６が施錠位置まで回動したとき、支持板３に設けたストッパ３５，３６に係合して、回動端で停止するようになっている。
【００２９】
作動杆４には、ラッチ部材５，６の係合部５４，６４に係合してラッチ部材５，６を施錠位置にロックするための係止ピン５２，６２が取り付けられる。また、ラッチ部材５，６を解錠側に付勢するためのコイルばね（ばね部材）３７，３８が支持板３との間に掛けられている。なお、コイルばねに代えてトーションばねを使用することもできる。
【００３０】
このように、ラッチ部材５，６は、前扉４１を閉じると、ラッチ部材５，６が受け具４２の係止部４３，４４に押され、コイルばね３７，３８に付勢力に抗して、施錠位置に回動し、作動杆４に設けた係止ピン５２，６２がラッチ部材５，６の係合部５４，６４に係合したとき、施錠位置にロックされるようになっている。
【００３１】
なお、支持板３の上部と下部の、係止ピン５２，６２に対応した位置には、図１１，１６のように、ガイド孔３３，３４が上下摺動方向に沿って設けられ、係止ピン５２，６２の端部がガイド孔３３，３４に係合してガイド摺動するようになっている。
【００３２】
一方、図１２等に示すように、スイッチ作動杆１９が作動杆４と支持板３との間に、上下摺動可能に配設される。スイッチ作動杆１９は、シリンダ錠７を左に回したとき、カム部材８の係合凸部８ｂがスイッチ作動杆１９の係合部１９ａと係合し、下降する。スイッチ作動杆１９には、作動片１９ｂが設けられ、下降時、図示しない非接触スイッチに作動片１９ｂが作用して、リセット信号等を発生させるようになっている。
【００３３】
また、支持板３の上部寄りには背面側に突出する突出部が設けられ、その突出部に支持ローラ９が回転自在に軸支される。この支持ローラ９は、前扉４１の閉鎖時、筐体４０側の受け具４２に設けた滑り板４５（図１３）に乗り上げ、前扉４１の重量を支持する。
【００３４】
基枠体１には、図１０〜１２に示すように、細長い縦型の第１カバー１０が、支持板３、作動杆４、ラッチ部材５，６を覆うように、取り付けられる。第１カバー１０は、薄い板状空間を内部に有した断面コ字状に形成される共に、薄く細い長尺状に形成され、支持板３の背面側から被せるように固定される。第１カバー１０の上部と下部には、前扉４１の閉鎖時に、受け具４２の係止部４３，４４を進入させるための開口部１１，１２が形成されている。
【００３５】
さらに、第１カバー１０には、カム部材近傍を開口するように開口部１４が設けられるとともに、前扉４１の閉鎖時に受け具４２の滑り板４５を進入させるための開口部１３が形成される。第１カバー１０の開口部１４には、図１０などに示す如く、カム部材８の近傍を覆うように、第２カバー２０が装着される。この第２カバー２０は、第１カバー１０上で作動杆４の摺動方向つまり上下に摺動可能に取り付けられ、第２カバー２０の下部に設けた係合部２４（図９、１２、１９）を、作動杆４の係合部４ｂに係合可能としている。
【００３６】
第２カバー２０の動きをガイドするために、図１２、１５、１９に示すように、取付板２の一部を背面側に折り曲げてガイド部２５が形成される。第２カバー２０を基枠体１のカム部材近傍に装着したとき、第２カバー２０の縁部がガイド部２５の内側で摺動可能に保持される。さらに、第２カバー２０の正面右側には、長方形状の凸部２６（図１１、１９）が設けられ、装着状態で、この凸部２６を取付板２の内側縁部（折り曲げ部）に当接させ、これにより、第２カバー２０ががたつきなく摺動できる構造となっている。
【００３７】
このように、シリンダ錠７に不具合が発生した際などの緊急時に、ゲーム機の筐体４０の裏側から挿入したドライバ等により、第２カバー２０を上方に摺動させ、適正キーを使用せずに、係合部４ｂと係合部２４とを介して作動杆４を上方に摺動させ、解錠できるようになっている。
【００３８】
また、解錠側に摺動可能に配設される第２カバー２０には、不正行為を防止するために、その背面側に固定ねじ２３が背面側からねじ込まれ、第１カバー１０に対し第２カバー２０を固定する構造とされる。
【００３９】
図８，９に示す如く、第２カバー２０の一端（上部）近傍には係合片２２が設けられ、第２カバー２０は係合片２２を第１カバー１０の係合孔１６に係合させた状態で、１本の固定ねじ２３を第２カバー２０の他端（下部）近傍に挿入して、第１カバー１０のねじ孔１５にねじ込み固定する。
【００４０】
つまり、固定ねじ２３を筐体４０の裏側から挿入したドライバにより外した際には、容易に上側に摺動可能とし、第１カバー１０の背面側に長方形状の係合孔１６を設け、その係合孔１６に、第２カバー２０の対応位置に内側に向けて折り曲げ状に係合片２２が設けられる。さらに、係合片２２を係合孔１６に係合させた状態で、第２カバー２０に設けた固定孔２１と一致する第１カバー１０の位置にねじ孔１５が形成される。
【００４１】
これにより、第２カバー２０を第１カバー１０上に取り付ける場合、先ず、第２カバー２０の係合片２２を係合孔１６に合わせ、次に、第２カバー２０を上側（係止側）に摺動させる。これによって、第２カバー２０の固定孔２１と第１カバー１０のねじ孔１５を一致させ、この状態で、固定ねじ２３を固定孔２１及びねじ孔１５にねじ込めば、係合片２２を係合孔１６の縁部に係止させた状態で、１本の固定ねじ２３のみで、第２カバー２０を簡単に固定することができる。
【００４２】
また、緊急時に、第２カバー２０を摺動させて解錠操作する際には、筐体４０の点検孔４６から挿入したドライバ等で固定ねじ２３を外せば、ドライバ等で第２カバー２０を上に摺動させることができ、この動作により、第２カバー２０の係合部２４と作動杆４の係合部４ｂを介して作動杆４を上に摺動させ、解錠操作を行なうことができる構造となっている。
【００４３】
次に、上記構成のゲーム機の施錠装置の使用態様と動作を説明する。施錠装置は、図１４、１５に示すように、ゲーム機の前扉４１の内側の自由端側（向かって右側）に、取付板２を介して縦に固定され、筐体４０内の対向位置（右側壁部内面）に縦長の受け具４２が取り付けられる。
【００４４】
図１３に示す如く、受け具４２は、帯板状の取付板の上部寄りと下部寄りに、平面コ字状の軸受部を固定し、その軸受部に軸ピン状の係止部４３，４４を水平横方向に取り付けて構成される。さらに、受け具４２には、係止部４３の下方の上記支持ローラ９に対応する位置に、滑り板４５が水平に取り付けられ、このような受け具４２は、筐体４０の内壁面に縦に固定される。施錠装置は、前扉４１の内側に縦に取り付けられ、且つシリンダ錠７の鍵口が前扉４１の前面に露出するように取り付けられる。
【００４５】
解錠した状態の施錠装置は、図１４、１７のように、ラッチ部材５，６が、コイルばね３７，３８の付勢力により上側に回動し、係合部５４，６４がストッパ３５，３６に当接した状態であり、第１カバー１０の開口部１１，１２内及び支持板３の開口部３１，３２内で、ラッチ部材５，６のロック凹部５３、６３が開放された状態となる。
【００４６】
この状態で、前扉４１を筐体４０に対し閉じると、受け具４２の上下の係止部４３，４４が、ラッチ部材５，６のロック凹部５３、６３の縁部を押し込むように作用し、ラッチ部材５，６は図１６，１７の時計方向に回動する。このとき、上部と下部のラッチ部材５，６は、その係合部５４，６４が回動して、係止ピン５２，６２を乗り越え、係止ピン５２，６２を取り付けた作動杆４がコイルばね３９により下方に付勢されるので、係合部５４，６４は係止ピン５２，６２に係止され、ラッチ部材５，６は、図１６に示すように、そのロック凹部５３，６３を拘束した状態で、係止ピン５２，６２によりロックされ、施錠状態となる。
【００４７】
前扉４１を解錠する場合、シリンダ錠７に鍵を挿入しその鍵を右に回すと、カム部材８が同方向に回動し、カム部材８の係合凸部８ａが作動杆４の係合部４ａに係合して、作動杆４を上方に摺動させる。このとき、作動杆４の上昇に伴い、係止ピン５２、６２が上昇し、ラッチ部材５，６の係合部５４，６４と係止ピン５２，６２との係合が外れ、上下のラッチ部材５，６は、図１７に示すように、コイルばね３７，３８の付勢力により反時計方向に回動する。これにより、ロック凹部５３、６３が背面側に開放され、受け具４２の係止部４３，４４が拘束を解除され、解錠状態となる。
【００４８】
一方、シリンダ錠７に不具合が発生し、適正キーを使用しても解錠操作ができないような緊急時、或いはゲーム機の使用が一旦終了して後、ゲーム機をリサイクルする際、適正キーがない状態で、ゲーム機の前扉４１を解錠する必要性が生じた場合、図１８のように、ゲーム機の筐体４０の裏側に設けられた点検孔４６から、ドライバを挿入し、第２カバー２０の固定ねじ２３を緩めて外す。通常、ゲーム機の筐体４０の裏面には複数の点検孔が形成されている。
【００４９】
この状態で、第２カバー２０はその上部の係合片２２が第１カバー１０の係合孔１６に係合しているのみであり、上下に摺動可能となっているから、ドライバなどで、第２カバー２０を少し押し上げれば、第２カバー２０は上昇する。このとき、第２カバー２０の係合部２４が作動杆４の係合部４ｂと係合して、作動杆４が押し上げられ、これに伴い、作動杆４の上部と下部の係止ピン５２，６２が上に摺動する。このような作動杆４と係止ピン５２，６２の上昇によって、上記の如く、ラッチ部材５，６の係合部５４，６４との係合が外れ、ラッチ部材５，６は図１７のように反時計方向に回動し、解錠される。
【００５０】
このように、適正キーを使用して解錠できないような緊急時には、筐体４０の裏側の点検孔４６からドライバを挿入して、１本の固定ねじ２３を外し、第２カバー２０をドライバ等で動かすのみの簡単な操作で、緊急解錠を迅速に行なうことができる。また、第２カバー２０は比較的形状が大きく、その何れの部分を押しても、摺動して解錠することができるため、緊急時の解錠が容易となる。
【００５１】
また、第２カバー２０は第１カバー１０の開口部１４であるカム部材近傍を覆うため、不正解錠の防止に役立ち、第１カバー１０により支持板３、作動杆４、ラッチ部材５，６が覆われるので、これによっても不正解錠を防止することができ、しかも、背面側にラッチ部材などが突出しないので、ゲーム機の前扉を開いて保守点検などを行なう際、内側の突出部に干渉せずに、作業を容易に行うことができる。
【００５２】
なお、上記実施形態では、施錠するラッチ部材５，６が、前扉の閉鎖時、そのロック凹部５３，６３に受け具の係止部４３，４４を進入させ、回動して拘束する構造の施錠装置について説明したが、基枠体の支持板の上部と下部に、鉤部材を上下に傾動（揺動）に軸支した構造の施錠装置に、本発明を適用することもできる。
【００５３】
この第２発明の施錠装置は、略Ｌ字状に形成された取付板と支持板とを有する縦長の基枠体の支持板の上部と下部に、鉤部材が上下に傾動可能に軸支され、支持板に沿って、長尺の作動杆が摺動可能に配設される。取付板にシリンダ錠がその錠軸を基枠体内に挿入するように取り付けられ、シリンダ錠の錠軸にカム部材が固定される。作動杆にはカム部材の回動時に係合する係合部が設けられ、基枠体の取付板がゲーム機の前扉の内側に取り付けられ、ゲーム機の筐体の内側に受け具が取り付けられ、前扉の閉鎖時、鉤部材が受け具に係止されて施錠する。
【００５４】
この施錠装置の作動杆には、鉤部材の係合部に係合して鉤部材を施錠位置にロックするための係止部が設けられ、鉤部材を施錠側に付勢するためのばね部材が設けられる。シリンダ錠による前扉の解錠操作時、カム部材が回動すると、作動杆が解錠側に摺動して、鉤部材が傾動し、鉤部材と受け具の係止が外れて解錠する。
【００５５】
このような構造の施錠装置においても、上記と同様に、カム部材の近傍を覆うカバーが、作動杆の摺動方向に摺動可能に配設され、カバーの摺動時に作動杆と係合して作動杆を解錠側に摺動させる係合部をそのカバーの一部に設けることができる。これによれば、適正キーを使用して解錠できないような緊急時には、筐体の裏側の点検孔からドライバを挿入して、固定ねじを外し、カバーをドライバ等で動かすのみの簡単な操作で、緊急解錠を迅速に行なうことができる。
【符号の説明】
【００５６】
１      基枠体
２      取付板
３      支持板
４      作動杆
４ａ    係合部
４ｂ    係合部
５      ラッチ部材
６      ラッチ部材
７      シリンダ錠
７ａ    錠軸
７ｂ    フランジ
８      カム部材
８ａ    係合凸部
８ｂ    係合凸部
９      支持ローラ
１０    第１カバー
１１    開口部
１３    開口部
１４    開口部
１５    ねじ孔
１６    係合孔
１９    スイッチ作動杆
１９ａ  係合部
１９ｂ  作動片
２０    第２カバー
２１    固定孔
２２    係合片
２４    係合部
２５    ガイド部
２６    凸部
３１    開口部
３３    ガイド孔
３５    ストッパ
４０    筐体
４１    前扉
４２    受け具
４３    係止部
４５    滑り板
４６    点検孔
５１    枢軸
５２    係止ピン
５３    ロック凹部
５４    係合部
５５    係合部
６１    枢軸
６２    係止ピン
６３    ロック凹部
６４    係合部
６５    係合部
【図１】
2014008144.tif 000003
【図２】
2014008144.tif 000004
【図３】
2014008144.tif 000005
【図４】
2014008144.tif 000006
【図５】
2014008144.tif 000007
【図６】
2014008144.tif 000008
【図７】
2014008144.tif 000009
【図８】
2014008144.tif 000010
【図９】
2014008144.tif 000011
【図１０】
2014008144.tif 000012
【図１１】
2014008144.tif 000013
【図１２】
2014008144.tif 000014
【図１３】
2014008144.tif 000015
【図１４】
2014008144.tif 000016
【図１５】
2014008144.tif 000017
【図１６】
2014008144.tif 000018
【図１７】
2014008144.tif 000019
【図１８】
2014008144.tif 000020
【図１９】
2014008144.tif 000021